(57)【要約】【課題】  より利便性が高い照明制御システム、照明制御装置、及び照明制御方法を提供する。【解決手段】  一実施形態に係る照明制御システムは、室内に設置された照明器具と、昼光制御装置と、窓面輝度検出部と、状態検知部と、制御部と、を具備する。昼光制御装置は、窓から前記室内に入射する光量を調整する。窓面輝度検出部は、前記窓における窓面の輝度を検出する。状態検知部は、前記室内において前記窓を背にした対象人物の状態を検知する。制御部は、前記状態検知部により検知された前記対象人物の状態と、前記窓面輝度検出部の検出値と、に応じて前記照明器具及び前記昼光制御装置を制御する。【選択図】      図１
2017037746.tif 000002
【特許請求の範囲】
【請求項１】
室内に設置された照明器具と、
窓から前記室内に入射する光量を調整する昼光制御装置と、
前記窓における窓面の輝度を検出する窓面輝度検出部と、
前記室内において前記窓を背にした対象人物の状態を検知する状態検知部と、
前記状態検知部により検知された前記対象人物の状態と、前記窓面輝度検出部の検出値と、に応じて前記照明器具及び前記昼光制御装置を制御する制御部と、
を具備する照明制御システム。
【請求項２】
前記制御部は、前記状態検知部により前記対象人物が前記室内の机上に設置された表示装置を見ている特定状態が検知されたか否かを判定し、特定状態が検知されたと判定した場合、前記昼光制御装置を制御して前記窓面の輝度を予め設定された第１の輝度に調整する請求項１に記載の照明制御システム。
【請求項３】
前記制御部は、前記特定状態が検知されたと判定した場合、前記昼光制御装置を制御して前記窓面の輝度を予め設定された第１の輝度に調整した後、前記照明器具を制御して前記机上の照度を予め設定された第１の照度に調整する請求項２に記載の照明制御システム。
【請求項４】
前記制御部は、前記特定状態が検知されていないと判定した場合、前記昼光制御装置を制御して前記窓面の輝度を前記第１の輝度よりも明るい第２の輝度に調整する請求項２に記載の照明制御システム。
【請求項５】
前記制御部は、前記特定状態が検知されていないと判定した場合、前記昼光制御装置を制御して前記窓面の輝度を前記第１の輝度よりも明るい第２の輝度に調整した後、前記照明器具を制御して前記机上の照度を予め設定された第２の照度に調整する請求項３に記載の照明制御システム。
【請求項６】
前記状態検知部は、前記対象人物の視線の向きに基づいて、前記対象人物が前記室内の机上に設置された表示装置を見ている状態を検知する請求項２乃至５のいずれか１項に記載の照明制御システム。
【請求項７】
前記状態検知部は、
前記室内の所定の撮像範囲の画像に写った人物を検出する人物検出部と、
検出された前記人物の視線の向きを検出する視線検出部と、
検出された前記人物の視線の向きと、前記撮像範囲と、前記画像中の前記人物の位置と、に基づいて、前記窓面に最も近く且つ前記窓面を背にした人物を前記対象人物として特定する対象人物特定部と、
を具備する請求項６に記載の照明制御システム。
【請求項８】
室内に設置された照明器具と、窓から前記室内に入射する光量を調整する昼光制御装置と、を制御する照明制御装置であって、
前記窓における窓面の輝度を検出する窓面輝度検出部と、
前記室内において前記窓を背にした対象人物の状態を検知する状態検知部と、
前記状態検知部により検知された前記対象人物の状態と、前記窓面輝度検出部の検出値と、に応じて前記照明器具及び前記昼光制御装置を制御する制御部と、
を具備する照明制御装置。
【請求項９】
室内に設置された照明器具と、窓から前記室内に入射する光量を調整する昼光制御装置と、を制御する照明制御装置における照明制御方法であって、
前記窓における窓面の輝度を検出し、
前記室内において前記窓を背にした対象人物の状態を検知し、
検知された前記対象人物の状態と、前記窓面の輝度の検出値と、に応じて前記照明器具及び前記昼光制御装置を制御する、
を具備する照明制御装置における照明制御方法。
【発明の詳細な説明】
【技術分野】
【０００１】
本発明の実施形態は、照明制御システム、照明制御装置、及び照明制御方法に関する。
【背景技術】
【０００２】
近年、窓から室内に取り入れる昼光の量を調整する昼光制御装置が実用化されている。昼光制御装置は、窓の窓面に沿って設けられた光を遮蔽する複数の遮蔽板の角度（スラット角）を制御することにより、窓から室内に取り入れる昼光の量を調整する。
【０００３】
しかしながら、従来の昼光制御装置は、窓面の輝度に応じて昼光の量を調整するため、室内の人物が必ずしも快適な状態に調整できているとは限らない。例えば、窓を背にした人物が液晶モニタなどの表示装置を見る作業を行う場合、窓面の輝度のみに応じて調整された昼光の量では、窓面からの光が液晶モニタに反射して液晶モニタの視認性が低下する可能性がある。
【先行技術文献】
【特許文献】
【０００４】
【特許文献１】特開２０１５−１２７４７０号公報
【発明の概要】
【発明が解決しようとする課題】
【０００５】
本発明が解決しようとする課題は、より利便性が高い照明制御システム、照明制御装置、及び照明制御方法を提供することである。
【課題を解決するための手段】
【０００６】
一実施形態に係る照明制御システムは、室内に設置された照明器具と、昼光制御装置と、窓面輝度検出部と、状態検知部と、制御部と、を具備する。昼光制御装置は、窓から前記室内に入射する光量を調整する。窓面輝度検出部は、前記窓における窓面の輝度を検出する。状態検知部は、前記室内において前記窓を背にした対象人物の状態を検知する。制御部は、前記状態検知部により検知された前記対象人物の状態と、前記窓面輝度検出部の検出値と、に応じて前記照明器具及び前記昼光制御装置を制御する。
【発明の効果】
【０００７】
より利便性が高い照明制御システム、照明制御装置、及び照明制御方法を提供することができる。
【図面の簡単な説明】
【０００８】
【図１】図１は、一実施形態に係る照明制御システムの構成例について説明するための図である。
【図２】図２は、一実施形態に係る照明制御装置の構成例について説明するための図である。
【図３】図３は、一実施形態に係る照明制御装置の動作の例について説明するための図である。
【図４】図４は、一実施形態に係る窓面輝度と机上面照度と快適性との関係を示す実験結果について説明するための図である。
【図５】図５は、一実施形態に係る窓面輝度と机上面照度とエネルギー効率との関係について説明するための図である。
【図６】図６は、一実施形態に係る窓面輝度及び机上面照度の例について説明するための図である。
【図７】図７は、一実施形態に係る窓面輝度及び机上面照度の例について説明するための図である。
【発明を実施するための形態】
【０００９】
以下で説明する実施形態に係る照明制御システム１は、室内に設置された照明器具２と、昼光制御装置４と、窓面輝度検出部２３と、状態検知部２２と、制御部２５と、を備える。昼光制御装置４は窓８から室内７に入射する光量を調整する。窓面輝度検出部２３は、窓８における窓面１２の輝度を検出する。状態検知部２２は、室内７において窓８を背にした対象人物の状態を検知する。制御部２５は、状態検知部２２により検知された対象人物の状態と、窓面輝度検出部２３の検出値と、に応じて照明器具２及び昼光制御装置４を制御する。
【００１０】
また、以下で説明する実施形態に係る制御部２５は、状態検知部２２により対象人物が室内７の机上面１１に設置された表示装置１４を見ている特定状態が検知されたか否かを判定し、特定状態が検知されたと判定した場合、昼光制御装置４を制御して窓面１２の輝度を予め設定された第１の輝度に調整する。
【００１１】
また、以下で説明する実施形態に係る制御部２５は、特定状態が検知されたと判定した場合、昼光制御装置４を制御して窓面１２の輝度を予め設定された第１の輝度に調整した後、照明器具２を制御して机上面１１の照度を予め設定された第１の照度に調整する
また、以下で説明する実施形態に係る制御部２５は、特定状態が検知されていないと判定した場合、昼光制御装置４を制御して窓面１２の輝度を第１の輝度よりも明るい第２の輝度に調整する。
【００１２】
また、以下で説明する実施形態に係る制御部２５は、特定状態が検知されていないと判定した場合、昼光制御装置４を制御して窓面１２の輝度を第１の輝度よりも明るい第２の輝度に調整した後、照明器具２を制御して机上面１１の照度を予め設定された第２の照度に調整する
また、以下で説明する実施形態に係る状態検知部２２は、対象人物の視線の向きに基づいて、対象人物が室内７の机上面１１に設置された表示装置１４を見ている状態を検知する。
【００１３】
また、以下で説明する実施形態に係る状態検知部２２は、人物検出部３１と、視線検出部３２と、対象人物特定部３３と、を備える。人物検出部３１は、室内７の所定の撮像範囲の画像に写った人物を検出する。視線検出部３２は、人物検出部３１と、検出された人物の視線の向きを検出する。対象人物特定部３３は、検出された人物の視線の向きと、撮像範囲と、画像中の人物の位置と、に基づいて、窓面１２に最も近く且つ窓面１２を背にした人物を対象人物として特定する。
【００１４】
また、以下で説明する実施形態に係る照明制御装置６は、室内７に設置された照明器具２と、窓８から室内７に入射する光量を調整する昼光制御装置４と、を制御する。照明制御装置６は、窓面輝度検出部２３と、状態検知部２２と、制御部２５と、を備える。窓面輝度検出部２３は、窓８における窓面１２の輝度を検出する。状態検知部２２は、室内７において窓８を背にした対象人物の状態を検知する。制御部２５は、状態検知部２２により検知された対象人物の状態と、窓面輝度検出部２３の検出値と、に応じて照明器具２及び昼光制御装置４を制御する。
【００１５】
また、以下で説明する実施形態に係る照明制御方法は、室内７に設置された照明器具２と、窓８から室内７に入射する光量を調整する昼光制御装置４と、を制御する。照明制御方法は、窓８における窓面１２の輝度を検出し、室内７において窓８を背にした対象人物の状態を検知する。照明制御方法は、検知された対象人物の状態と、窓面１２の輝度の検出値と、に応じて照明器具２及び昼光制御装置４を制御する。
【００１６】
以下、図面を参照しながら、一実施形態に係る照明制御システム、照明制御装置、及び照明制御方法について詳細に説明する。
【００１７】
まず一実施形態に係る照明制御システム１の構成例について説明する。図１は、一実施形態に係る照明制御システム１の構成例を示す。照明制御システム１は、照明器具２と、昼光制御装置４とを制御することにより、室内７の明るさを調整するシステムである。
【００１８】
照明制御システム１は、照明器具２、照度センサ３、昼光制御装置４、撮像装置５、及び照明制御装置６を具備する。
【００１９】
照明器具２は、室内７に設置され、室内７の所定の空間を照明する照明器具である。照明器具２は、例えば、ＬＥＤ，白熱灯、または蛍光灯等により構成される。照明器具２は、単体であってもよいし複数であってもよい。照明器具２は、照明制御装置６の制御に応じて点灯状態を変化させることができる。例えば、照明器具２は、照明制御装置６の制御に基づいて、発する光の強さである発光強度を変化させる。また、照明器具２が複数である場合、各照明器具２は、それぞれ異なる発光強度で光を発する構成であってもよい。
【００２０】
照度センサ３は、室内７の所定の範囲の照度を検出するセンサである。照度センサ３は、例えば、室内７の机の上面などの紙による作業（紙面作業）が行われる机上面１１の照度を検出する。照度センサ３は、照度を数値として検出し、検出した照度を照明制御装置６に入力する。照度センサ３は、複数設けられていてもよい。また、照度センサ３が複数である場合、各照度センサ３は、それぞれ異なる範囲の照度を検出する構成であってもよい。
【００２１】
昼光制御装置４は、窓８から室内７に取り入れる昼光の量を調整する。昼光制御装置４は、窓８の窓面１２に沿って設けられた複数の遮蔽板１３を有する。遮蔽板１３は、光を遮蔽する日射遮蔽物である。窓８を通った光は、遮蔽板１３に反射し、または遮蔽板１３に反射せずに直接室内７に入射する。昼光制御装置４は、照明制御装置６の制御に基づいて、遮蔽板１３の角度を制御することにより、窓８から室内７に取り入れる昼光の量を調整する。
【００２２】
撮像装置５は、室内７の所定の範囲の画像を取得する。撮像装置５は、光を光電変換することにより画像を取得するイメージセンサと、このイメージセンサに所定の範囲からの光を結像させる光学系と、を備える。撮像装置５の光学系は、例えば、窓８の窓面１２、室内７の人物が作業を行う作業面及びその近傍を含む範囲からの光をイメージセンサに結像させる。撮像装置５は、周期的に、または照明制御装置６の制御に基づくタイミングで画像を取得する。撮像装置５は、取得した画像を照明制御装置６に入力する。
【００２３】
照明制御装置６は、照明器具２と、昼光制御装置４と、をそれぞれ制御する。また、例えば、照明制御装置６は、照明器具２に対して制御信号を送信することにより、照明器具２の点灯状態を変化させることができる。より具体的には、照明制御装置６は、照明器具２に対して制御信号を送信することにより、照明器具２の発光強度を変化させる。
【００２４】
また、例えば、照明制御装置６は、昼光制御装置４に対して制御信号を送信することにより、昼光制御装置４の遮蔽板１３の角度を制御することにより、室内７に取り入れる昼光の量を調整する。
【００２５】
照明制御装置６は、室内７の窓８を背にした対象人物の状態と、窓面１２の輝度と、に応じて昼光制御装置４を制御する。例えば、照明制御装置６は、対象人物の状態に応じて、窓面１２の輝度の目標値を決定する。照明制御装置６は、窓面１２の輝度の目標値と、現在の窓面１２の輝度との差に応じて昼光制御装置４の遮蔽板１３の角度を制御する。
【００２６】
さらに、照明制御装置６は、窓面１２の輝度が目標値に達した場合、対象人物の状態と、対象人物が使用している机の机上面１１の照度と、に応じて照明器具２を制御する。例えば、照明制御装置６は、対象人物の状態に応じて、机上面１１の照度の目標値を決定する。照明制御装置６は、机上面１１の照度の目標値と、現在の机上面１１の照度との差に応じて照明器具２の発光強度を制御する。
【００２７】
なお、照明制御装置６は、複数の照度センサ３により検出された机上面１１の照度に基づいて、各照度センサ３に対応する照明器具２の発光強度を個別に制御する構成であってもよい。
【００２８】
図２は、照明制御装置６の構成例を示す。照明制御装置６は、通信部２１、状態検知部２２、窓面輝度検出部２３、机上面照度検出部２４、及び制御部２５を備える。
【００２９】
通信部２１は、照明器具２、照度センサ３、昼光制御装置４、及び撮像装置５と通信を行う。例えば、通信部２１は、制御部２５の制御に基づいて、照明器具２及び昼光制御装置４に対して制御信号を送信する。また、通信部２１は、制御部２５の制御に基づいて、照度センサ３から机上面１１の照度の検出値を取得する。また、通信部２１は、制御部２５の制御に基づいて、撮像装置５から画像を取得する。通信部２１は、照明器具２、照度センサ３、昼光制御装置４、及び撮像装置５との通信を無線通信により行う構成であってもよいし、有線通信により行う構成であってもよい。
【００３０】
状態検知部２２は、室内７において窓８を背にした対象人物の状態を検知する。例えば、状態検知部２２は、対象人物の視線の向きに基づいて対象人物の状態を検知する。例えば、状態検知部２２は、対象人物の視線が表示装置１４の表示画面に向いている場合、対象人物が室内７の机上面１１に設置された表示装置１４を見ている状態を検知する。また、例えば、状態検知部２２は、対象人物の視線が机上面１１上に向いている場合、対象人物が室内７の机上面１１上で紙面作業を行っている状態を検知する。
【００３１】
状態検知部２２は、人物検出部３１と、視線検出部３２と、対象人物特定部３３と、を備える。
【００３２】
人物検出部３１は、画像に写った人物を検出する。例えば、人物検出部３１は、撮像装置５により取得した画像に写った人物を画像処理によって検出する。人物検出部３１は、如何なるアルゴリズムで人物を検出する構成であってもよい。例えば、人物検出部３１は、パターンマッチングにより人物の顔を検出することにより、人物を検出する構成であってもよい。また、例えば、人物検出部３１は、隣接した複数の画素の画素値の差に基づいて画像中の物体の形状を認識することにより、人物を検出する構成であってもよい。
【００３３】
視線検出部３２は、人物検出部３１により検出された人物の視線の向きを検出する。視線検出部３２は、人物検出部３１により複数の人物が検出された場合、各人物の視線の向きを検出する。視線検出部３２は、如何なるアルゴリズムで人物の視線の向きを検出する構成であってもよい。例えば、視線検出部３２は、パターンマッチングにより検出された人物の顔から眼、鼻、または口などの顔のパーツの位置を検出することにより人物の視線の向きを検出する構成であってもよい。また、例えば、視線検出部３２は、隣接した複数の画素の画素値の差に基づいて画像中の顔の凹凸を認識することにより人物の視線の向きを検出する構成であってもよい。
【００３４】
対象人物特定部３３は、検出された人物の視線の向きと、撮像範囲と、画像中の人物の位置と、に基づいて、窓面１２を背にした人物を対象人物として特定する。対象人物特定部３３は、人物検出部３１により複数の人物が検出された場合、検出された複数の人物のうちで窓面１２に最も近く且つ窓面１２を背にした人物を対象人物として特定する。具体的には、対象人物特定部３３は、画像から窓面１２の位置を認識し、画像中の各人物が検出された位置から各人物と窓面１２との距離を認識する。対象人物特定部３３は、各人物の視線の向きに基づいて、窓面１２に対して背を向けた人物を認識する。対象人物特定部３３は、窓面１２に対して背を向けた人物の内で、最も窓面１２との距離が短い人物を対象人物として特定する。
【００３５】
状態検知部２２は、上記のように特定した対象人物の視線の向きに基づいて、対象人物が机上面１１に設置された表示装置１４を見ている状態であるか、机上面１１上で紙面作業を行っている状態であるかを検知する。例えば、状態検知部２２は、水平方向と対象人物の視線の向きとの角度を推定し、この角度が予め設定された閾値未満である場合、対象人物が机上面１１に設置された表示装置１４を見ている状態であると判断する。また、例えば、状態検知部２２は、水平方向と対象人物の視線の向きとの角度が予め設定された閾値以上である場合、机上面１１上で紙面作業を行っている状態であると判断する。
【００３６】
窓面輝度検出部２３は、窓８における窓面１２の輝度を検出する。窓面輝度検出部２３は、例えば、撮像装置５により取得した画像に基づいて窓面１２の輝度を検出する。具体的には、窓面輝度検出部２３は、撮像装置５により取得した画像において窓面１２が写る領域を特定する。窓面輝度検出部２３は、画像の窓面１２が写る領域の画素の値に基づいて、窓面１２の輝度を推定する。例えば、窓面輝度検出部２３は、画像の窓面１２が写る領域内の画素の平均値、または中央値などに基づいて、窓面１２の輝度を推定する。
【００３７】
机上面照度検出部２４は、対象人物が使用している机の机上面１１の照度を検出する。例えば、机上面照度検出部２４は、対象人物の位置に応じた照度センサ３によって検出された照度を対象人物が使用している机の机上面１１の照度として検出する。また、窓面輝度検出部２３は、例えば、撮像装置５により取得した画像に基づいて窓面１２の輝度の検出と同様の方法によって対象人物が使用している机の机上面１１の照度を検出する構成であってもよい。
【００３８】
制御部２５は、ＣＰＵ等のプロセッサ、プログラムメモリ、ワーキングメモリ、不揮発性メモリ、及び各種インターフェースなどに構成される。制御部２５は、プロセッサがプログラムメモリまたは不揮発性メモリに記憶されたプログラムを実行することにより、各種の処理機能を実現する。
【００３９】
制御部２５は、照明器具２と、昼光制御装置４と、をそれぞれ制御する。例えば、制御部２５は、昼光制御装置４に対して制御信号を送信することにより、窓面１２の輝度を目標値に調整する。さらに、制御部２５は、照明器具２に対して制御信号を送信することにより、対象人物の使用している机上面１１の照度が目標値になるように照明器具２の発光強度を調整する。
【００４０】
プログラムメモリまたは不揮発性メモリ（総じてメモリと称する）は、机上面１１の照度の目標値と、窓面１２の輝度の目標値と、を記憶している。メモリは、例えば、対象人物の状態毎に机上面１１の照度の目標値と、窓面１２の輝度の目標値と、を記憶している。具体的には、メモリは、対象人物が机上面１１に設置された表示装置１４を見ている状態である場合の机上面１１の照度の目標値（第１照度）及び窓面１２の輝度の目標値（第１輝度）と、対象人物が机上面１１上で紙面作業を行っている状態である場合の机上面１１の照度の目標値（第２照度）及び窓面１２の輝度の目標値（第２輝度）と、を記憶している。なお、第２輝度は、第１輝度に比べて明るい値である。
【００４１】
制御部２５は、状態検知部２２によって検出された対象人物の状態に応じて、メモリから机上面１１の照度の目標値と、窓面１２の輝度の目標値と、を読み出す。制御部２５は、窓面輝度検出部２３により検出される窓面１２の輝度が読み出した輝度の目標値になるように昼光制御装置４を制御する。さらに、制御部２５は、机上面照度検出部２４により検出される机上面１１の照度が読み出した照度の目標値になるように照明器具２を制御する。
【００４２】
次に、照明制御装置６の動作の例について説明する。図３は、照明制御装置６の動作の例について説明するためのフローチャートである。  
照明制御装置６の制御部２５は、撮像装置５により撮像された画像を取得する（ステップＳ１１）。
【００４３】
照明制御装置６の状態検知部２２は、取得した画像に基づいて、人物を検出する（ステップＳ１２）。状態検知部２２は、検出した人物の視線の向き検出する（ステップＳ１３）。状態検知部２２は、検出された人物の視線の向きと、画像中の人物の位置と、に基づいて、窓面１２を背にした人物を対象人物として特定する（ステップＳ１４）。状態検知部２２は、対象人物の視線の向きに基づいて、対象人物の状態を特定する（ステップＳ１５）。即ち、状態検知部２２は、対象人物の視線の向きに基づいて、対象人物が机上面１１に設置された表示装置１４を見ている状態であるか、机上面１１上で紙面作業を行っている状態であるかを検知する。
【００４４】
制御部２５は、状態検知部２２による検知結果に基づいて、対象人物が机上面１１に設置された表示装置１４を見ている状態であるか否かを判断する（ステップＳ１６）。
【００４５】
対象人物が机上面１１に設置された表示装置１４を見ている状態であると判断した場合（ステップＳ１６、ＹＥＳ）、制御部２５は、窓面輝度検出部２３により検出された現在の窓面１２の輝度を取得する（ステップＳ１７）。制御部２５は、取得した窓面１２の輝度が、予め設定された第１輝度であるか否か判断する（ステップＳ１８）。制御部２５は、取得した窓面１２の輝度が予め設定された第１輝度ではないと判断した場合（ステップＳ１８、ＮＯ）、昼光制御装置４の遮蔽板１３の角度を変更することを指示する制御信号を昼光制御装置４へ出力し（ステップＳ１９）、ステップＳ１７に移行する。即ち、制御部２５は、窓面輝度検出部２３により検出された窓面１２の輝度が第１輝度になるように昼光制御装置４を制御する。
【００４６】
ステップＳ１８で窓面１２の輝度が予め設定された第１輝度になったと判断した場合（ステップＳ１８、ＹＥＳ）、制御部２５は、机上面照度検出部２４により検出された現在の机上面１１の照度を取得する（ステップＳ２０）。制御部２５は、取得した机上面１１の照度が、予め設定された第１照度であるか否か判断する（ステップＳ２１）。制御部２５は、取得した机上面１１の照度が予め設定された第１照度ではないと判断した場合（ステップＳ２１、ＮＯ）、照明器具２の発光強度を変更することを指示する制御信号を照明器具２に入力し（ステップＳ２２）、ステップＳ２０に移行する。即ち、制御部２５は、机上面照度検出部２４により検出された机上面１１の照度が第１照度になるように照明器具２を制御する。
【００４７】
ステップＳ２１で机上面１１の照度が予め設定された第１照度になったと判断した場合（ステップＳ２１、ＹＥＳ）、制御部２５は、ステップＳ１１に移行する。
【００４８】
また、ステップＳ１６で、対象人物が机上面１１に設置された表示装置１４を見ている状態ではないと判断した場合（ステップＳ１６、ＮＯ）、制御部２５は、対象人物が机上面１１で紙面作業を行っていると判断する。この場合、制御部２５は、窓面輝度検出部２３により検出された現在の窓面１２の輝度を取得する（ステップＳ２３）。制御部２５は、取得した窓面１２の輝度が、予め設定された第２輝度であるか否か判断する（ステップＳ２４）。制御部２５は、取得した窓面１２の輝度が、予め設定された第２輝度ではないと判断した場合（ステップＳ２４、ＮＯ）、昼光制御装置４の遮蔽板１３の角度を変更することを指示する制御信号を昼光制御装置４へ出力し（ステップＳ２５）、ステップＳ２３に移行する。即ち、制御部２５は、窓面輝度検出部２３により検出された窓面１２の輝度が第２輝度になるように昼光制御装置４を制御する。
【００４９】
ステップＳ２４で窓面１２の輝度が予め設定された第２輝度になったと判断した場合（ステップＳ２４、ＹＥＳ）、制御部２５は、机上面照度検出部２４により検出された現在の机上面１１の照度を取得する（ステップＳ２６）。制御部２５は、取得した机上面１１の照度が、予め設定された第２照度であるか否か判断する（ステップＳ２７）。制御部２５は、取得した机上面１１の照度が、予め設定された第２照度ではないと判断した場合（ステップＳ２７、ＮＯ）、照明器具２の発光強度を変更することを指示する制御信号を照明器具２へ出力し（ステップＳ２８）、ステップＳ２６に移行する。即ち、制御部２５は、机上面照度検出部２４により検出された机上面１１の照度が第２照度になるように照明器具２を制御する。
【００５０】
ステップＳ２７で机上面１１の照度が予め設定された第２照度になったと判断した場合（ステップＳ２７、ＹＥＳ）、制御部２５は、ステップＳ１１に移行する。
【００５１】
上記したように、照明制御装置６は、対象人物が机上面１１に設置された表示装置１４を見ている状態である場合、昼光制御装置４によって窓面１２の輝度を第２輝度よりも暗い第１輝度に調整する。照明制御装置６は、窓面１２の輝度が第１輝度に調整された後、照明器具２によって机上面１１の照度を第１照度に調整する。これにより、照明制御装置６は、窓を背にし、且つ表示装置１４を見ている対象人物が存在する場合に、窓面１２から入射する光の量を抑えることができる。この結果、照明制御装置６は、窓面１２からの光が表示装置１４の表示パネルに反射して表示装置１４の視認性が低下することを防ぐことができる。この結果、より利便性が高い照明制御システム、照明制御装置、及び照明制御方法を提供することができる。
【００５２】
また、上記したように、照明制御装置６は、対象人物が机上面１１で紙面作業を行っている状態である場合、窓面１２からの光による表示装置１４の視認性の低下を考慮する必要が無くなる。この為、照明制御装置６は、昼光制御装置４を制御して窓面１２の輝度を第１輝度よりも明るい第２輝度に調整する。即ち、照明制御装置６は、対象人物が表示装置１４を見ている状態に比べてより多くの昼光を窓８から取り入れるように昼光制御装置４を制御する。これにより、窓面１２の輝度が第１輝度である場合に比べて机上面１１においてより多くの照度が得られる為、照明器具２の発光量を抑えることができる。この結果、よりエネルギー効率の高い照明制御システム、照明制御装置、及び照明制御方法を提供することができる。
【００５３】
照明制御システム１の制御に関連して第１輝度及び第２輝度を決定する為に、本願の発明者らは、机上面１１の照度と、窓面１２の輝度と、ユーザが感じる快適性との関係を調べる為の実験を行った。この実験では、人物が表示装置１４を目視する作業または紙面作業を行う場合に机上面１１の照度及び窓面１２の輝度を変化させて人物に快適と感じるか、明るすぎると感じるか、暗すぎると感じるかを判断させた。この実験の結果を図４に示す。また、一般的なオフィスにおいて窓面輝度が０ｃｄ／ｍ２であり机上面照度が７５０ｌｘである場合の省エネ率を０％とし、図４の実験での各条件における照明器具２の省エネ率を図５に示す。
【００５４】
まず各条件における照明器具２の省エネ率について図５を参照して説明する。  
窓面１２の輝度が０ｃｄ／ｍ２であり、机上面１１の照度が３００ｌｘである場合、窓面１２の輝度によって机上面１１において０ｌｘの照度が得られる為、照明器具２によって３００ｌｘの照度を補う。この結果、省エネ率が６０％となる。
【００５５】
窓面１２の輝度が５００ｃｄ／ｍ２であり、机上面１１の照度が３００ｌｘである場合、窓面１２の輝度によって机上面１１において１６０ｌｘの照度が得られる為、照明器具２によって１４０ｌｘの照度を補う。この結果、省エネ率が８１％となる。
【００５６】
窓面１２の輝度が０ｃｄ／ｍ２であり、机上面１１の照度が５００ｌｘである場合、窓面１２の輝度によって机上面１１において０ｌｘの照度が得られる為、照明器具２によって５００ｌｘの照度を補う。この結果、省エネ率が３３％となる。
【００５７】
窓面１２の輝度が５００ｃｄ／ｍ２であり、机上面１１の照度が５００ｌｘである場合、窓面１２の輝度によって机上面１１において１６０ｌｘの照度が得られる為、照明器具２によって３４０ｌｘの照度を補う。この結果、省エネ率が５５％となる。
【００５８】
窓面１２の輝度が１５００ｃｄ／ｍ２であり、机上面１１の照度が５００ｌｘである場合、窓面１２の輝度によって机上面１１において４７０ｌｘの照度が得られる為、照明器具２によって３０ｌｘの照度を補う。この結果、省エネ率が９６％となる。
【００５９】
窓面１２の輝度が０ｃｄ／ｍ２であり、机上面１１の照度が７５０ｌｘである場合、窓面１２の輝度によって机上面１１において０ｌｘの照度が得られる為、照明器具２によって７５０ｌｘの照度を補う。この結果、省エネ率が０％となる。
【００６０】
窓面１２の輝度が５００ｃｄ／ｍ２であり、机上面１１の照度が７５０ｌｘである場合、窓面１２の輝度によって机上面１１において１６０ｌｘの照度が得られる為、照明器具２によって５９０ｌｘの照度を補う。この結果、省エネ率が２１％となる。
【００６１】
窓面１２の輝度が１５００ｃｄ／ｍ２であり、机上面１１の照度が７５０ｌｘである場合、窓面１２の輝度によって机上面１１において４７０ｌｘの照度が得られる為、照明器具２によって２８０ｌｘの照度を補う。この結果、省エネ率が６３％となる。
【００６２】
また、窓面輝度が５０００ｃｄ／ｍ２であり、机上面照度が１７００ｌｘである場合、窓面１２の輝度によって机上面１１において１５６０ｌｘの照度が得られる為、照明器具２によって１４０ｌｘの照度を補う。この結果、省エネ率が８１％となる。
【００６３】
また、窓面輝度が５０００ｃｄ／ｍ２であり、机上面照度が１９００ｌｘである場合、窓面１２の輝度によって机上面１１において１５６０ｌｘの照度が得られる為、照明器具２によって３４０ｌｘの照度を補う。この結果、省エネ率が５５％となる。
【００６４】
次に、人物が表示装置１４を目視する場合の実験結果について図４を参照して説明する。  
窓面１２を横または正面にした人物の８０％以上が快適と評価した条件では、窓面１２の輝度を１５００ｃｄ／ｍ２とし、机上面１１の照度を７５０ｌｘとした場合に最も省エネとなる。しかし、窓面１２を背にした対象人物の４０％乃至５０％が、上記の窓面１２の輝度を１５００ｃｄ／ｍ２とした場合に快適ではないと評価している。この為、窓面１２の輝度を１５００ｃｄ／ｍ２とすることは、窓面１２を背にした対象人物が表示装置１４を目視する作業を行うことに適していないと判断することができる。
【００６５】
次に省エネとなったのは窓面１２の輝度を５００ｃｄ／ｍ２とし、机上面１１の照度を５００ｌｘとした条件である。この場合、窓面１２を横または正面にした人物の８０％以上が快適であると評価しているが、窓面１２を背にした対象人物の５０％が快適ではないと評価している。これに対して、窓面１２の輝度を５００ｃｄ／ｍ２とし、机上面１１の照度を７５０ｌｘとした場合、窓面１２を背にした対象人物の８０％が快適であると評価している。
【００６６】
上記の実験結果より、対象人物が表示装置１４を目視する場合、照明制御システム１は、図６に示すように、窓面１２の輝度を５００ｃｄ／ｍ２とし、窓面１２を横または正面にした人物が使用している机の机上面１１の照度を５００ｌｘとし、窓面１２を背にした対象人物が使用している机の机上面１１の照度を７５０ｌｘとすることにより、全ての人物の８０％以上が快適であり、且つ省エネを実現することができる環境を提供することができる。
【００６７】
次に、人物が紙面作業を行う場合の実験結果について説明する。  
最も省エネ率の高い窓面１２の輝度を１５００ｃｄ／ｍ２とし、机上面１１の照度を５００ｌｘとした条件では、窓面１２を背にした対象人物の８０％以上が快適であると評価し、窓面１２を横または正面にした人物の５０％乃至７０％が快適であると評価している。即ち、窓面１２を横または正面にした人物にとっては紙面作業を行うことに適していないと判断することができる。
【００６８】
次に省エネ率の高い窓面１２の輝度を１５００ｃｄ／ｍ２とし、机上面１１の照度を７５０ｌｘとした条件では、窓面１２を背にした対象人物及び窓面１２を横または正面にした人物の８０％以上が快適であると評価している。
【００６９】
上記の実験結果より、対象人物が紙面作業を行う場合、照明制御システム１は、図７に示すように、窓面１２の輝度を１５００ｃｄ／ｍ２とし、窓面１２を横または正面にした人物が使用している机の机上面１１の照度を７５０ｌｘとし、窓面１２を背にした対象人物が使用している机の机上面１１の照度を５００ｌｘとすることにより、全ての人物の８０％以上が快適であり、且つ省エネを実現することができる環境を提供することができる。
【００７０】
上記のように、照明制御システム１は、窓面１２を横または正面にした人物が使用している机の机上面１１の照度と、窓面１２を背にした対象人物が使用している机の机上面１１の照度とを個別に制御する構成であってもよい。これにより、照明制御システム１は、室内７の複数の人物が快適であると感じる範囲でより省エネ率の高い設定で照明器具２及び昼光制御装置４を制御することができる。この結果、さらにエネルギー効率の高い照明制御システム、照明制御装置、及び照明制御方法を提供することができる。
【００７１】
なお、上記の実施形態では、照明制御システム１は、撮像装置５により撮像された画像に基づいて人物の視線の向きを検出することによって、対象人物の状態を検知する構成として説明したが、この構成に限定されない。例えば、照明制御システム１の照明制御装置６は、表示装置１４または表示装置１４に映像信号を供給するＰＣなどの動作状態に応じて対象人物が表示装置１４を見ている状態であるか否か判断する構成であってもよい。
【００７２】
また、上記の実施形態では、照明制御システム１の照明制御装置６は、撮像装置５により撮像された画像に基づいて、対象人物の状態の検知、及び窓面１２の輝度の検出を行う構成として説明したが、この構成に限定されない。照明制御システム１は、窓面１２を撮像する撮像装置と、室内７の人物が作業を行う作業面及びその近傍を含む範囲を撮像する撮像装置とを個別に備える構成であってもよい。また、照明制御システム１が窓面１２の輝度を検出する輝度センサを備える場合、撮像装置５は、室内７の人物が作業を行う作業面及びその近傍を含む範囲を撮像する構成であればよい。
【００７３】
また、上記の実施形態では、照明制御システム１は、撮像装置５により撮像された画像に基づいて窓面１２の輝度を検出する構成であると説明したが、この構成に限定されない。照明制御システム１は、窓面１２の輝度を検出する輝度センサを備える構成であってもよい。
【００７４】
またさらに、照明制御システム１は、机上面１１の照度と照明器具２の発光強度とに基づいて窓面１２の輝度を推定する構成であってもよい。この場合、照明制御システム１の照明制御装置６は、他の光源が無い状態での照明器具２の発光強度と、机上面１１の照度と、の関係をテーブルとして保持し、このテーブルから照明器具２により得られる机上面１１の照度を取得し、テーブルから取得した照度を机上面１１の照度の検出値から減算することにより、窓面１２により得られる机上面１１の照度を推定することができる。さらに、照明制御装置６は、窓面１２により得られる机上面１１の照度から、窓面１２の輝度を推定する。
【００７５】
また、上記の実施形態では、照度センサ３は、机上面１１の照度の検出値を照明制御装置６に入力する構成であると説明したが、この構成に限定されない。照度センサ３は、対応する照明器具２に机上面１１の照度をフィードバックする構成であってもよい。この場合、照明器具２は、照明制御装置６により決定された机上面１１の照度の目標値と、照度センサ３からフィードバックされた現在の机上面１１の照度とに基づいて発光強度を決定する。
【００７６】
また、照明制御システム１における第１輝度及び第２輝度、並びに第１照度及び第２照度は、如何なる方法によって設定されてもよい。例えば、照明制御システム１の照明制御装置６は、図示されないリモートコントローラによる操作、または通信部２１を介して接続された電子機器による操作に応じて、第１輝度及び第２輝度、並びに第１照度及び第２照度を設定する。
【００７７】
また、上記の実施形態では、照明制御装置６は、第１輝度及び第２輝度を目標値として昼光制御装置４を制御する例について説明したが、第１輝度及び第２輝度は、１つの値ではなく上限と下限とにより定まる範囲であってもよい。同様に、第１照度及び第２照度も１つの値ではなく上限と下限とにより定まる範囲であってもよい。
【００７８】
また、上記の実施形態では、照明制御装置６は、窓面輝度検出部２３により検出された窓面１２の輝度が目標とする輝度になるように昼光制御装置４を制御すると説明した。しかし、昼光制御装置４の遮蔽板１３の角度を可動可能な範囲で動かしても目標とする輝度が得られない場合が想定される。このような場合、照明制御装置６は、昼光制御装置４の遮蔽板１３の角度を可動可能な範囲で最も目標とする輝度に近い輝度が得られる角度になるように昼光制御装置４を制御する構成であってもよい。
【００７９】
また、上記の実施形態の図３のステップＳ１７乃至Ｓ２８にかけて、昼光制御装置４及び照明器具２を制御することによって窓面１２の輝度及び机上面１１の照度を目標とする輝度及び照度に調整すると説明したが、照明制御装置６は、現在の窓面１２の輝度及び机上面１１の照度から目標とする窓面１２の輝度及び机上面１１の照度に緩やかに調整する構成であってもよい。例えば、照明制御装置６は、一定時間の間に調整可能な窓面１２の輝度及び机上面１１の照度の範囲を設け、その範囲内で窓面１２の輝度及び机上面１１の照度を調整する構成であってもよい。
【００８０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００８１】
１…照明制御システム、２…照明器具、３…照度センサ、４…昼光制御装置、５…撮像装置、６…照明制御装置、７…直接室内、８…窓、１１…机上面、１２…窓面、１３…遮蔽板、１４…表示装置、２１…通信部、２２…状態検知部、２３…窓面輝度検出部、２４…机上面照度検出部、２５…制御部、３１…人物検出部、３２…視線検出部、３３…対象人物特定部。
【図１】
2017037746.tif 000003
【図２】
2017037746.tif 000004
【図３】
2017037746.tif 000005
【図４】
2017037746.tif 000006
【図５】
2017037746.tif 000007
【図６】
2017037746.tif 000008
【図７】
2017037746.tif 000009